【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
光記録媒体に対してデータの記録を行う光記録装置における光記録方法であって、
ファイナライズ処理を複数の処理に分割して実行し、
１つの処理の終了毎にその旨を不揮発性メモリに記憶しておくことを特徴とする光記録方法。
【請求項２】
処理毎の開始前に電池の残量を確認して、その電池残量で実行する処理が終了するか判断し、電池残量が十分な場合に、その処理を実行することを特徴とする請求項１記載の光記録方法。
【請求項３】
電池残量が十分でない場合に、その処理でファイナライズ処理を中断し、
電池残量が十分になった時点で、不揮発性メモリに記録された処理以降からファイナライズ処理を再開することを特徴とする請求項２記載の光記録方法。
【請求項４】
光記録媒体に対してデータの記録を行う光記録装置であって、
ファイナライズ処理を複数の処理に分割して実行し、１つの処理の終了毎にその旨を不揮発性メモリに記憶しておく制御手段を備える特徴とする光記録装置。
【請求項５】
上記制御手段は、処理毎の開始前に電池の残量を確認して、その電池残量で実行する処理が終了するか判断し、電池残量が十分な場合に、その処理を実行することを特徴とする請求項４記載の光記録装置。
【請求項６】
上記制御手段は、電池残量が十分でない場合に、その処理でファイナライズ処理を中断し、電池残量が十分になった時点で、不揮発性メモリに記録された処理以降からファイナライズ処理を再開することを特徴とする請求項５記載の光記録装置。
【請求項７】
データゾーンがファイルシステムエリアである第１の管理情報領域、データ領域に記録されているリアルタイムデータの再生管理システムを記録する第２の管理情報領域及びリアルタイムデータが記録されるデータ領域に区分される光記録媒体にデータの記録を行う光記録方法であって、
ファイナライズ処理を、所定の最終記録位置までパディング記録を行うパディング処理と、第２の管理情報領域に記録された再生管理情報及びデータ領域に記録されたリアルタイムデータ全体を管理する情報を含むファイルシステムを他のファイルシステムとの互換性を確保したフォーマットで作成して上記第１の管理情報領域に記録する第１の管理情報処理と、データ領域に記録されたリアルタイムデータ全体を再生管理する再生管理情報を含む再生管理システムを作成して上記第２の管理情報領域に記録する第２の管理情報処理と、リードイン領域とリードアウト領域に対する書き込み処理に分割し、
１つの処理毎の開始前に電池の残量を確認して、その電池残量で実行する処理が終了するか判断し、
電池残量が十分な場合に、その処理を実行して、１つの処理の終了毎にその旨を不揮発性メモリに記憶しておき、
電池残量が十分でない場合に、その処理でファイナライズ処理を中断し、
電池残量が十分になった時点で、不揮発性メモリに記録された処理以降からファイナライズ処理を再開することを特徴とすることを特徴とする光記録方法。
【請求項８】
データゾーンがファイルシステムエリアである第１の管理情報領域、データ領域に記録されているリアルタイムデータの再生管理システムを記録する第２の管理情報領域及びリアルタイムデータが記録されるデータ領域に区分される光記録媒体にデータの記録を行う光記録装置であって、
ファイナライズ処理を複数の処理に分割して実行し、１つの処理の終了毎にその旨を不揮発性メモリに記憶しておく制御手段を備え、
制御手段は、ファイナライズ処理を、所定の最終記録位置までパディング記録を行うパディング処理と、第２の管理情報領域に記録された再生管理情報及びデータ領域に記録されたリアルタイムデータ全体を管理する情報を含むファイルシステムを他のファイルシステムとの互換性を確保したフォーマットで作成して上記第１の管理情報領域に記録する第１の管理情報処理と、データ領域に記録されたリアルタイムデータ全体を再生管理する再生管理情報を含む再生管理システムを作成して上記第２の管理情報領域に記録する第２の管理情報処理と、リードイン領域とリードアウト領域に対する書き込み処理に分割し、１つの処理毎の開始前に電池の残量を確認して、その電池残量で実行する処理が終了するか判断し、電池残量が十分な場合に、その処理を実行して、１つの処理の終了毎にその旨を不揮発性メモリに記憶しておき、電池残量が十分でない場合に、その処理でファイナライズ処理を中断し、電池残量が十分になった時点で、不揮発性メモリに記録された処理以降からファイナライズ処理を再開することを特徴とすることを特徴とする光記録装置。
【手続補正２】
【補正対象書類名】明細書
【補正対象項目名】００１２
【補正方法】変更
【補正の内容】
【００１２】
また、本発明に係る光記録装置において、上記制御手段は、電池残量が十分でない場合に、その処理でファイナライズ処理を中断し、電池残量が十分になった時点で、不揮発性メモリに記録された処理以降からファイナライズ処理を再開することを特徴とする。
さらに、本発明は、データゾーンがファイルシステムエリアである第１の管理情報領域、データ領域に記録されているリアルタイムデータの再生管理システムを記録する第２の管理情報領域及びリアルタイムデータが記録されるデータ領域に区分される光記録媒体にデータの記録を行う光記録方法であって、ファイナライズ処理を、所定の最終記録位置までパディング記録を行うパディング処理と、第２の管理情報領域に記録された再生管理情報及びデータ領域に記録されたリアルタイムデータ全体を管理する情報を含むファイルシステムを他のファイルシステムとの互換性を確保したフォーマットで作成して上記第１の管理情報領域に記録する第１の管理情報処理と、データ領域に記録されたリアルタイムデータ全体を再生管理する再生管理情報を含む再生管理システムを作成して上記第２の管理情報領域に記録する第２の管理情報処理と、リードイン領域とリードアウト領域に対する書き込み処理に分割し、１つの処理毎の開始前に電池の残量を確認して、その電池残量で実行する処理が終了するか判断し、電池残量が十分な場合に、その処理を実行して、１つの処理の終了毎にその旨を不揮発性メモリに記憶しておき、電池残量が十分でない場合に、その処理でファイナライズ処理を中断し、電池残量が十分になった時点で、不揮発性メモリに記録された処理以降からファイナライズ処理を再開することを特徴とすることを特徴とする。
また、本発明は、データゾーンがファイルシステムエリアである第１の管理情報領域、データ領域に記録されているリアルタイムデータの再生管理システムを記録する第２の管理情報領域及びリアルタイムデータが記録されるデータ領域に区分される光記録媒体にデータの記録を行う光記録装置であって、ファイナライズ処理を複数の処理に分割して実行し、１つの処理の終了毎にその旨を不揮発性メモリに記憶しておく制御手段を備え、制御手段は、ファイナライズ処理を、所定の最終記録位置までパディング記録を行うパディング処理と、第２の管理情報領域に記録された再生管理情報及びデータ領域に記録されたリアルタイムデータ全体を管理する情報を含むファイルシステムを他のファイルシステムとの互換性を確保したフォーマットで作成して上記第１の管理情報領域に記録する第１の管理情報処理と、データ領域に記録されたリアルタイムデータ全体を再生管理する再生管理情報を含む再生管理システムを作成して上記第２の管理情報領域に記録する第２の管理情報処理と、リードイン領域とリードアウト領域に対する書き込み処理に分割し、１つの処理毎の開始前に電池の残量を確認して、その電池残量で実行する処理が終了するか判断し、電池残量が十分な場合に、その処理を実行して、１つの処理の終了毎にその旨を不揮発性メモリに記憶しておき、電池残量が十分でない場合に、その処理でファイナライズ処理を中断し、電池残量が十分になった時点で、不揮発性メモリに記録された処理以降からファイナライズ処理を再開することを特徴とすることを特徴とする。